(57)【特許請求の範囲】
【請求項１】
複製信号を含む、受信した直交周波数分割多元接続（ＯＦＤＭＡ）信号を処理する方法において、
前記ＯＦＤＭＡ信号内の副搬送波を、ルックアヘッド処理を実行することによって第１の複製ペアａ1およびａ2と、第２の複製ペアｂ1およびｂ2とを含む複製フォーマットに配置し、ａ1およびａ2は、第１の副搬送波および第２の副搬送波の実部を構成し、ｂ1およびｂ2は、前記第１の副搬送波および第２の副搬送波の虚部を構成することと、
前記副搬送波を前記複製フォーマットに配置した後に、前記ＯＦＤＭＡ信号を等化および合成し、前記等化および合成は、最大比合成（ＭＲＣ）スキームにしたがって実行されることと、
前記ＯＦＤＭＡ信号をデマッピングし、前記デマッピングは、前記等化および合成が実行された後に実行されることとを含み、
前記複製信号は、チャネルエンコーディングの前にビットに対して複製されている方法。
【請求項２】
前記ルックアヘッド処理は、前記ＯＦＤＭＡ信号の送信機により実現される送信プロセスを逆にたどることを含む請求項１記載の方法。
【請求項３】
前記ルックアヘッド処理は、前記ＯＦＤＭＡ信号の等化および合成に先立って、デインターリービングを実行することを含む請求項１記載の方法。
【請求項４】
前記等化および合成は、
【数１】
0005547088.tif 000032
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である請求項１記載の方法。
【請求項５】
チャネルステータス情報（ＣＳＩ）信号内の副搬送波を前記複製フォーマットに配置することと、
前記副搬送波を前記複製フォーマットに配置した後に、前記ＣＳＩ信号に関してＣＳＩ合成を実行することとをさらに含む請求項１記載の方法。
【請求項６】
前記ＣＳＩ合成は、
【数２】
0005547088.tif 000033
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である請求項５記載の方法。
【請求項７】
前記ＯＦＤＭＡ信号は、異なる副搬送波にわたって分散されている複製ペアを含む請求項１記載の方法。
【請求項８】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数３】
0005547088.tif 000034
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項７記載の方法。
【請求項９】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数４】
0005547088.tif 000035
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項７記載の方法。
【請求項１０】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数５】
0005547088.tif 000036
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項７記載の方法。
【請求項１１】
前記複製信号は、ダウンリンクフレームプレフィックス（ＤＬＦＰ）メッセージを含む請求項１記載の方法。
【請求項１２】
複製信号を含む、受信した直交周波数分割多元接続（ＯＦＤＭＡ）信号を処理するワイヤレスデバイスにおいて、
前記ＯＦＤＭＡ信号内の副搬送波を、ルックアヘッド処理を実行することによって第１の複製ペアａ1およびａ2と、第２の複製ペアｂ1およびｂ2とを含む複製フォーマットに配置するように構成されている第１のルックアヘッド副搬送波アレンジャと、
前記副搬送波を前記複製フォーマットに配置した後に、前記ＯＦＤＭＡ信号を等化および合成するように構成されている等化器および合成器と、
前記ＯＦＤＭＡ信号をデマッピングするように構成されているデマッパーとを具備し、
ａ1およびａ2は、第１の副搬送波および第２の副搬送波の実部を構成し、ｂ1およびｂ2は、前記第１の副搬送波および第２の副搬送波の虚部を構成し、
前記等化および合成は、最大比合成（ＭＲＣ）スキームにしたがって実行され、
前記デマッピングは、前記等化および合成が実行された後に実行され、
前記複製信号は、チャネルエンコーディングの前にビットに対して複製されているワイヤレスデバイス。
【請求項１３】
前記ルックアヘッド処理は、前記ＯＦＤＭＡ信号の送信機により実現される送信プロセスを逆にたどることを含む請求項１２記載のワイヤレスデバイス。
【請求項１４】
前記ルックアヘッド処理は、前記ＯＦＤＭＡ信号の等化および合成に先立って、デインターリービングを実行することを含む請求項１２記載のワイヤレスデバイス。
【請求項１５】
前記等化および合成は、
【数６】
0005547088.tif 000037
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である請求項１２記載のワイヤレスデバイス。
【請求項１６】
チャネルステータス情報（ＣＳＩ）信号内の副搬送波を前記複製フォーマットに配置するように構成されている第２のルックアヘッド副搬送波アレンジャと、
前記副搬送波を前記複製フォーマットに配置した後に、前記ＣＳＩ信号に関してＣＳＩ合成を実行するように構成されているＣＳＩ合成器とをさらに具備する請求項１２記載のワイヤレスデバイス。
【請求項１７】
前記ＣＳＩ合成は、
【数７】
0005547088.tif 000038
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である請求項１６記載のワイヤレスデバイス。
【請求項１８】
前記ＯＦＤＭＡ信号は、異なる副搬送波にわたって分散されている複製ペアを含む請求項１２記載のワイヤレスデバイス。
【請求項１９】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数８】
0005547088.tif 000039
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項１８記載のワイヤレスデバイス。
【請求項２０】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数９】
0005547088.tif 000040
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項１８記載のワイヤレスデバイス。
【請求項２１】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数１０】
0005547088.tif 000041
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項１８記載のワイヤレスデバイス。
【請求項２２】
前記複製信号は、ダウンリンクフレームプレフィックス（ＤＬＦＰ）メッセージを含む請求項１２記載のワイヤレスデバイス。
【請求項２３】
複製信号を含む、受信した直交周波数分割多元接続（ＯＦＤＭＡ）信号を処理する装置において、
前記ＯＦＤＭＡ信号内の副搬送波を、ルックアヘッド処理を実行することによって第１の複製ペアａ1およびａ2と、第２の複製ペアｂ1およびｂ2とを含む複製フォーマットに配置する手段であって、ａ1およびａ2は、第１の副搬送波および第２の副搬送波の実部を構成し、ｂ1およびｂ2は、前記第１の副搬送波および第２の副搬送波の虚部を構成する手段と、
前記副搬送波を前記複製フォーマットに配置した後に、前記ＯＦＤＭＡ信号を等化および合成する手段であって、前記等化および合成は、最大比合成（ＭＲＣ）スキームにしたがって実行される手段と、
前記ＯＦＤＭＡ信号をデマッピングする手段であって、前記デマッピングは、前記等化および合成が実行された後に実行される手段とを具備し、
前記複製信号は、チャネルエンコーディングの前にビットに対して複製されている装置。
【請求項２４】
前記ルックアヘッド処理は、前記ＯＦＤＭＡ信号の送信機により実現される送信プロセスを逆にたどることを含む請求項２３記載の装置。
【請求項２５】
前記ルックアヘッド処理は、前記ＯＦＤＭＡ信号の等化および合成に先立って、デインターリービングを実行することを含む請求項２３記載の装置。
【請求項２６】
前記等化および合成は、
【数１１】
0005547088.tif 000042
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である請求項２３記載の装置。
【請求項２７】
チャネルステータス情報（ＣＳＩ）信号内の副搬送波を前記複製フォーマットに配置する手段と、
前記副搬送波を前記複製フォーマットに配置した後に、前記ＣＳＩ信号に関してＣＳＩ合成を実行する手段とをさらに具備する請求項２３記載の装置。
【請求項２８】
前記ＣＳＩ合成は、
【数１２】
0005547088.tif 000043
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である請求項２７記載の装置。
【請求項２９】
前記ＯＦＤＭＡ信号は、異なる副搬送波にわたって分散されている複製ペアを含む請求項２３記載の装置。
【請求項３０】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数１３】
0005547088.tif 000044
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項２９記載の装置。
【請求項３１】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数１４】
0005547088.tif 000045
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項２９記載の装置。
【請求項３２】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数１５】
0005547088.tif 000046
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項２９記載の装置。
【請求項３３】
前記複製信号は、ダウンリンクフレームプレフィックス（ＤＬＦＰ）メッセージを含む請求項２３記載の装置。
【請求項３４】
命令を有するコンピュータ読取り可能記憶媒体において、
前記命令は、
直交周波数分割多元接続（ＯＦＤＭＡ）信号内の副搬送波を、ルックアヘッド処理を実行することによって第１の複製ペアａ1およびａ2と、第２の複製ペアｂ1およびｂ2とを含む複製フォーマットに配置するためのコードであって、ａ1およびａ2は、第１の副搬送波および第２の副搬送波の実部を構成し、ｂ1およびｂ2は、前記第１の副搬送波および第２の副搬送波の虚部を構成するコードと、
前記副搬送波を前記複製フォーマットに配置した後に、前記ＯＦＤＭＡ信号を等化および合成するためのコードであって、前記等化および合成は、最大比合成（ＭＲＣ）スキームにしたがって実行されるコードと、
前記ＯＦＤＭＡ信号をデマッピングするためのコードであって、前記デマッピングは、前記等化および合成が実行された後に実行されるコードとを含み、
前記ＯＦＤＭＡ信号は、チャネルエンコーディングの前にビットに対して複製されている複製信号を含むコンピュータ読取り可能記憶媒体。
【請求項３５】
前記ルックアヘッド処理は、前記ＯＦＤＭＡ信号の送信機により実現される送信プロセスを逆にたどることを含む請求項３４記載のコンピュータ読取り可能記憶媒体。
【請求項３６】
前記ルックアヘッド処理は、前記ＯＦＤＭＡ信号の等化および合成に先立って、デインターリービングを実行することを含む請求項３４記載のコンピュータ読取り可能記憶媒体。
【請求項３７】
前記等化および合成は、
【数１６】
0005547088.tif 000047
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である請求項３４記載のコンピュータ読取り可能記憶媒体。
【請求項３８】
チャネルステータス情報（ＣＳＩ）信号内の副搬送波を前記複製フォーマットに配置することと、
前記副搬送波を前記複製フォーマットに配置した後に、前記ＣＳＩ信号に関してＣＳＩ合成を実行することとをさらに含む請求項３４記載のコンピュータ読取り可能記憶媒体。
【請求項３９】
前記ＣＳＩ合成は、
【数１７】
0005547088.tif 000048
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である請求項３８記載のコンピュータ読取り可能記憶媒体。
【請求項４０】
前記ＯＦＤＭＡ信号は、異なる副搬送波にわたって分散されている複製ペアを含む請求項３４記載のコンピュータ読取り可能記憶媒体。
【請求項４１】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数１８】
0005547088.tif 000049
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項４０記載のコンピュータ読取り可能記憶媒体。
【請求項４２】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数１９】
0005547088.tif 000050
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項４０記載のコンピュータ読取り可能記憶媒体。
【請求項４３】
前記複製ペアは、前記第１の複製ペアａ1およびａ2と、前記第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数２０】
0005547088.tif 000051
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である請求項４０記載のコンピュータ読取り可能記憶媒体。
【請求項４４】
前記複製信号は、ダウンリンクフレームプレフィックス（ＤＬＦＰ）メッセージを含む請求項３４記載のコンピュータ読取り可能記憶媒体。
【発明の詳細な説明】
【技術分野】
【０００１】
本開示は一般に、ワイヤレス通信システムに関する。より詳細には、本開示は、直交周波数分割多元接続（ＯＦＤＭＡ）システムにおける、複製信号に対する最大比合成のための方法および装置に関する。
【背景】
【０００２】
ワイヤレス通信システムデバイスは、消費者の要求を満たし、携帯性および利便性を向上させるために、より小さく、かつ、より強力になっている。消費者は、セルラ電話機や、パーソナルデジタルアシスタント（ＰＤＡ）や、ラップトップコンピュータや、これらに類似するもののような、ワイヤレス通信デバイスに依存するようになっている。消費者は、信頼できるサービス、カバレッジエリアの拡張および、機能の向上を期待するようになっている。ワイヤレス通信デバイスは、移動局、局、アクセス端末、ユーザ端末、端末、加入者ユニット、ユーザ機器などと呼ばれることがある。
【０００３】
ワイヤレス通信システムは、複数のワイヤレス通信デバイスに対する通信を同時にサポートできる。ワイヤレス通信デバイスは、アップリンクおよびダウンリンク上での送信を通して、（代わりに、アクセスポイント、ノードＢなどとも呼ばれることがある）１つ以上の基地局と通信してもよい。アップリンク（すなわち、リバースリンク）は、ワイヤレス通信デバイスから基地局への通信リンクを指し、ダウンリンク（すなわち、フォワードリンク）は、基地局からワイヤレス通信デバイスへの通信リンクを指す。
【０００４】
ワイヤレス通信システムは、利用可能なシステムリソース（例えば、帯域幅および送信電力）を共有することによって、複数のユーザとの通信をサポートできる多元接続システムであってもよい。そのような多元接続システムの例は、コード分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムとを含む。
【０００５】
上述したように、本開示は一般に、ワイヤレス通信システムに関する。より詳細には、本開示は、直交周波数分割多元接続（ＯＦＤＭＡ）システムにおける複製信号に対する最大比合成のための方法および装置に関する。
【概要】
【０００６】
複製信号を含む、受信した直交周波数分割多元接続（ＯＦＤＭＡ）信号を処理する方法を開示する。方法は、ＯＦＤＭＡ信号内の副搬送波を複製フォーマットに配置することを含んでいてもよい。方法はまた、副搬送波を複製フォーマットに配置した後に、ＯＦＤＭＡ信号を等化および合成することを含んでいてもよい。等化および合成は、最大比合成（ＭＲＣ）スキームにしたがって実行してもよい。方法はまた、ＯＦＤＭＡ信号をデマッピングすることを含んでいてもよい。デマッピングは、等化および合成を実行した後に実行してもよい。
【０００７】
複製信号を含む、受信した直交周波数分割多元接続（ＯＦＤＭＡ）信号を処理するワイヤレスデバイスも開示する。ワイヤレスデバイスは、ＯＦＤＭＡ信号内の副搬送波を複製フォーマットに配置するように構成されている第１のルックアヘッド副搬送波アレンジャを含んでいてもよい。ワイヤレスデバイスはまた、副搬送波を複製フォーマットに配置した後に、ＯＦＤＭＡ信号を等化および合成するように構成されている等化器および合成器を含んでいてもよい。等化および合成は、最大比合成（ＭＲＣ）スキームにしたがって実行されてもよい。ワイヤレスデバイスはまた、ＯＦＤＭＡ信号をデマッピングするように構成されているデマッパーを含んでいてもよい。デマッピングは、等化および合成を実行した後に実行してもよい。
【０００８】
複製信号を含む、受信した直交周波数分割多元接続（ＯＦＤＭＡ）信号を処理する装置も開示する。装置は、ＯＦＤＭＡ信号内の副搬送波を複製フォーマットに配置する手段を含んでいてもよい。装置はまた、副搬送波を複製フォーマットに配置した後に、ＯＦＤＭＡ信号を等化および合成する手段を含んでいてもよい。等化および合成は、最大比合成（ＭＲＣ）スキームにしたがって実行されてもよい。装置はまた、ＯＦＤＭＡ信号をデマッピングする手段を含んでいてもよい。デマッピングは、等化および合成が実行した後に実行してもよい。
【０００９】
複製信号を含む、受信した直交周波数分割多元接続（ＯＦＤＭＡ）信号を処理するためのコンピュータプログラムプロダクトも開示する。コンピュータプログラムプロダクトは、命令を有するコンピュータ読取り可能媒体を含んでいてもよい。命令は、ＯＦＤＭＡ信号内の副搬送波を複製フォーマットに配置するためのコードを含んでいてもよい。命令はまた、副搬送波を複製フォーマットに配置した後に、ＯＦＤＭＡ信号を等化および合成するためのコードを含んでいてもよい。等化および合成は、最大比合成（ＭＲＣ）スキームにしたがって実行されてもよい。命令はまた、ＯＦＤＭＡ信号をデマッピングするためのコードを含んでいてもよい。デマッピングは、等化および合成が実行した後に実行してもよい。
【図面の簡単な説明】
【００１０】
【図１】図１は、ワイヤレス通信システムの例を図示する。
【図２】図２は、ＯＦＤＭＡシステムに対する送信機の例を図示する。
【図３Ａ】図３Ａは、ＯＦＤＭＡシステム内のダウンリンク上で、基地局からユーザ端末に送信してもよいフレームの例を図示する。
【図３Ｂ】図３Ｂは、プリアンブルシンボルの周波数ドメイン表現の例を図示する。
【図３Ｃ】図３Ｃは、プリアンブルシンボルの周波数ドメイン表現の例を図示する。
【図３Ｄ】図３Ｄは、データシンボルの周波数ドメイン表現の例を図示する。
【図４】図４は、典型的なＯＦＤＭＡシステムの単一の受信機アーキテクチャを図示する。
【図５】図５は、フレーム制御ヘッダチャネル上でのダウンリンクフレームプレフィックスメッセージの送信の方法の例を説明する。
【図６Ａ】図６Ａは、複製信号を含むＯＦＤＭＡ信号をデコードするシステムの例を図示する。
【図６Ｂ】図６Ｂは、複製信号を含むＯＦＤＭＡ信号をデコードするシステムの例を図示する。
【図７】図７は、複製ペアが異なる副搬送にわたって分散されていてもよい１つの方法を図示する。
【図８】図８は、複製ペアが異なる副搬送にわたって分散されていてもよい別の方法を図示する。
【図９】図９は、複製信号を含むＯＦＤＭＡ信号をデコードする方法の例を説明する。
【図１０】図１０は、図９中で示した方法に対応するミーンズプラスファンクションブロックを説明する。
【図１１】図１１は、ワイヤレスデバイスにおいて利用してもよいさまざまなコンポーネントを図示する。
【詳細な説明】
【００１１】
図１は、ワイヤレス通信システム１００の例を図示する。ワイヤレス通信システム１００は、ブロードバンドワイヤレス通信システム１００であってもよい。ワイヤレス通信システム１００は、多数のセル１０２に対して通信を提供する。セル１０２のそれぞれは、基地局１０４によってサーブされる。基地局１０４は、ユーザ端末１０６と通信する固定局であってもよい。基地局１０４は、代わりに、アクセスポイント、ノードＢ、または他の用語で呼ばれることがある。
【００１２】
図１は、システム１００全体にわたって分散されている、さまざまなユーザ端末１０６を示す。ユーザ端末１０６は、固定された（すなわち、動かない）ものであってもよく、または、移動するものであってもよい。ユーザ端末１０６は、代わりに、リモート局、アクセス端末、端末、加入者ユニット、移動局、局、ユーザ機器などと呼ばれることがある。ユーザ端末１０６は、セルラ電話機や、パーソナルデジタルアシスタント（ＰＤＡ）や、ハンドヘルドデバイスや、ワイヤレスモデムや、ラップトップコンピュータや、パーソナルコンピュータなどのようなワイヤレスデバイスであってもよい。
【００１３】
基地局１０４からユーザ端末１０６への送信を容易にする通信リンクは、ダウンリンク１０８と呼ばれることがあり、ユーザ端末１０６から基地局１０４への送信を容易にする通信リンクは、アップリンク１１０と呼ばれることがある。代わりに、ダウンリンク１０８は、フォワードリンクまたはフォワードチャネルと呼ばれることがあり、アップリンク１１０は、リバースリンクまたはリバースチャネルと呼ばれることがある。
【００１４】
セル１０２は、複数のセクタ１１２に分割されていてもよい。セクタ１１２は、セル１０２内の物理的なカバレッジエリアである。ワイヤレス通信システム１００内の基地局１０４は、セル１０２の特定のセクタ１１２内に電力のフローを集中させるアンテナを利用してもよい。このようなアンテナは、指向性アンテナと呼ばれることがある。
【００１５】
本開示の方法および装置は、ブロードバンドワイヤレス通信システムにおいて利用してもよい。用語“ブロードバンドワイヤレス”は、所定のエリアにわたって、ワイヤレス、音声、インターネット、および／またはデータネットワークアクセスを提供する技術を指す。
【００１６】
マイクロ波アクセスのための世界相互運用を表すＷｉＭＡＸは、長距離にわたって高いスループットのブロードバンド接続を提供する、標準ベースのブロードバンドワイヤレス技術である。今日、ＷｉＭＡＸの２つの主なアプリケーションがあり、固定ＷｉＭＡＸとモバイルＷｉＭＡＸとである。固定ＷｉＭＡＸアプリケーションは、ポイントツーマルチポイントであり、自宅およびビジネスへのブロードバンドアクセスを可能にする。モバイルＷｉＭＡＸは、ブロードバンドのスピードで、セルラネットワークのフルな移動性を提供する。
【００１７】
モバイルＷｉＭＡＸは、ＯＦＤＭ（直交周波数分割多重化）およびＯＦＤＭＡ（直交周波数分割多元接続）技術に基づいている。ＯＦＤＭは、さまざまな高データレート通信システムにおいて、最近幅広い採用を見出している、デジタル複数搬送波変調技術である。ＯＦＤＭでは、送信ビットストリームが、複数のより低いレートのサブストリームに分割される。各サブストリームは、複数の直交副搬送のうちの１つで変調され、複数の並列なサブチャネルのうちの１つを通して送られる。ＯＦＤＭＡは、ＯＦＤＭに基づく多元接続技術である。ＯＦＤＭＡでは、異なるタイムスロットにおいて、副搬送波がユーザに割り当てられてもよい。ＯＦＤＭＡは、幅広く変化するアプリケーション、データレート、およびサービス品質要求により、多くのユーザに対応できるフレキシブルな多元接続技術である。
【００１８】
ワイヤレスインターネットおよび通信における急速な成長は、ワイヤレス通信サービスの分野において高データレートに対する需要の増加をもたらしている。ＯＦＤＭＡシステムは今日、最も見込みのあるリサーチエリアのうちの１つであり、次世代のワイヤレス通信に対する主要技術であると考えられている。このことは、ＯＦＤＭＡ変調スキームが、従来の単一搬送波変調スキームに対して、変調効率や、スペクトル効率や、柔軟性や、強力なマルチパス耐性のような多くの利点を提供できるという事実に起因する。
【００１９】
ＩＥＥＥ８０２．１６ｘは、固定およびモバイルのブロードバンドワイヤレスアクセス（ＢＷＡ）システムに対するエアインターフェースを規定する、新生の標準化組織である。ＩＥＥＥ８０２．１６ｘは、固定ＢＷＡシステムに対して２００４年５月に“ＩＥＥＥ Ｐ８０２．１６−ＲＥＶｄ／Ｄ５−２００４”を承認し、モバイルＢＷＡシステムに対して２００５年１０月に“ＩＥＥＥ Ｐ８０２．１６ｅ／Ｄ１２ Ｏｃｔ．２００５”を発行している。それらの２つの標準規格は、４つの異なる物理レイヤ（ＰＨＹ）と、１つの媒体アクセス制御（ＭＡＣ）レイヤとを規定している。４つの物理レイヤのうちのＯＦＤＭＡ物理レイヤは、それぞれ固定およびモバイルのＢＷＡエリアにおいて最もポピュラーである。
【００２０】
図２は、ＯＦＤＭＡシステムに対する送信機２０２の例を図示する。送信データＤk２１２が、マッパー２１４に送り込まれていることが示されている。マッパー２１４は、マッピングおよび変調を実行してもよく、マッピングされた／変調された信号Ｍk２１６を出力してもよい。マッピングされた／変調された信号Ｍk２１６は、逆高速フーリエ変換（ＩＦＦＴ）コンポーネント２１８、ガード挿入コンポーネント２２０、無線周波数（ＲＦ）フロントエンド２２２およびアンテナ２２４によって処理されることが示されている。結果として生じる信号２２６は、次に、ワイヤレスチャネルｈに送信されることが示されている。
【００２１】
図３Ａは、ＯＦＤＭＡシステム内のダウンリンク１０８上で、基地局１０４からユーザ端末１０６に送信されるフレーム３０６の例を図示する。ＯＦＤＭＡフレーム３０６は、時間軸３０８に関して示されている。ＯＦＤＭＡフレーム３０６は、１つのプリアンブルシンボル３１０および複数のデータシンボル３１２とともに示されている。図３Ａにおいて、たった１つのプリアンブルシンボル３１０を示しているが、ＯＦＤＭＡフレーム３０６は、複数のプリアンブルシンボル３１０を含んでいてもよい。
【００２２】
図３Ｂおよび３Ｃは、プリアンブルシンボル３１０の周波数ドメイン表現の例を図示する。これらの周波数ドメイン表現は、副搬送波軸３１６に関して示されている。使用されている副搬送波領域３１８が示されている。２つのガード領域３２０もまた示されている。
【００２３】
図３Ｂにおいて、使用されている副搬送波領域３１８は、変調されていない副搬送波３１４ｂと交互にされるパイロット副搬送波３１４ａを含む。図３Ｃにおいて、使用されている副搬送波領域３１８中の各副搬送波３１４は、パイロット副搬送波３１４ａである。
【００２４】
図３Ｄは、データシンボル３１２の周波数ドメイン表現の例を図示する。データシンボル３１２は、データ副搬送波３１４ｃとパイロット副搬送波３１４ａとの両方を含む。受信機は、プリアンブルシンボル３１０のパイロット副搬送波３１４ａおよび／またはデータシンボル３１２のパイロット副搬送波３１４ａを使用して、チャネル推定を実行してもよい。
【００２５】
ＯＦＤＭＡシステム内の副搬送波３１４の数は、高速フーリエ変換（ＦＦＴ）ポイントの数に等しくてもよい。利用可能な副搬送波３１４のすべてを使用しなくてもよい。特に、ガード領域３２０中のガード副搬送波３１４ｄを除外してもよい。図３Ｂないし３Ｄにおいて、ガード副搬送波３１４ｄは、より低い、およびより高い周波数帯域のまわりに示されている。これらのガード副搬送波３１４ｄは、データ副搬送波３１４ｃまたはパイロット副搬送波３１４ａに対して割り振られなくてもよい。
【００２６】
図４は、典型的なＯＦＤＭＡシステムの単一の受信機アーキテクチャ４０４を図示する。アンテナ４３２は、ワイヤレスチャネルｈからＯＦＤＭＡ信号４２６ａを受信する。受信したＯＦＤＭＡ信号４２６ａは、ＲＦフロントエンド４３４と、ガード除去コンポーネント４３６と、高速フーリエ変換（ＦＦＴ）コンポーネント４３８とによって処理される。これは、周波数ドメインＯＦＤＭＡ信号４２６ｂを結果として生じ、周波数ドメインＯＦＤＭＡ信号４２６ｂは、図４においてＲk４２６ｂとして示されている。
【００２７】
次に、チャネル推定を実行してもよい。周波数ドメインＯＦＤＭＡ信号Ｒk４２６ｂは、チャネル推定器４４２への入力として提供されることが示されている。チャネル推定は、パイロットトーンおよび補間プロセスを使用して実現してもよい。チャネル推定の結果は、Ｈk４４４として示されている、チャネル推定４４４である。
【００２８】
等化器４４６を示す。次の等式（１）にしたがって、チャネル推定Ｈk４４４を使用して、周波数ドメインＯＦＤＭＡ信号Ｒk４２６ｂを等化してもよい。
【数１】
0005547088.tif 000002
【００２９】
等化器４４６の出力は、Ｅk４２６ｃとして示されている、等化された信号４２６ｃである。等化信号Ｅk４２６ｃは、デマッパー４５０によりデマッピングされて、復調されてもよく、データｒＤk４５２が結果として生じる。
【００３０】
ＯＦＤＭＡは、複製送信機能を有していてもよい。例えば、ＩＥＥＥ８０２．１６ｅ標準規格は、フレーム制御ヘッダ（ＦＣＨ）チャネルに対する複製送信をサポートする。ＦＣＨチャネルのコンテンツは、ダウンリンクフレームプレフィックス（ＤＬＦＰ）と呼ばれている。ＤＬＦＰは、各フレームの開始において送信されるデータ構造である。ＤＬＦＰは、現在のフレームに関する情報を含み、ＦＣＨにマッピングされる。
【００３１】
図５は、ＦＣＨ／ＤＬＦＰ送信の方法５００の例を説明する。２４ビットのＤＬＦＰメッセージ５０２が提供され（５０１）、次に複製されて（５０４）、４８ビットのブロック５０６が形成される。４８ビットのブロック５０６に関して、以下の動作を実行してもよい：畳込みコーディング５０８、インターリービング５１０、ＱＰＳＫマッピング５１２、ＯＦＤＭＡスロット割振り（副搬送波割振り）５１４、副搬送波ランダム化５１６、およびＮfftポイントの逆高速フーリエ変換（ＩＦＦＴ）演算５１８。
【００３２】
畳込みコーディング５０８の結果は、９６のコード化ビットのブロック５２０であってもよい。インターリービング５１０の結果は、９６のコード化ビットのブロック５２２であってもよい。ＱＰＳＫマッピング５１２の結果は、４８の変調シンボルのブロック５２４であってもよい。ＯＦＤＭＡスロット割振り（副搬送波割振り）５１４は、セグメントに対応する最初のスロット５２６からスロットを割り当てることを伴っていてもよい。
【００３３】
図６は、ＯＦＤＭＡ信号をデコードするシステム６００の例を図示し、ＯＦＤＭＡ信号は、複製ＤＬＦＰメッセージのような、複製信号を含む。送信機６０２が、チャネルｈ（ｔ）６１６を通してＯＦＤＭＡ信号ｓ（ｔ）６１２を送信することが示されている。
【００３４】
受信機６０４が、ＯＦＤＭＡ信号ｒ（ｔ）６２０ａを受信することが示されている。受信ＯＦＤＭＡ信号ｒ（ｔ）６２０ａは、次の等式（２）のように表現してもよく、用語ｎ（ｔ）はノイズを示す。
【数２】
0005547088.tif 000003
【００３５】
ＦＦＴ６２２コンポーネント６２２を示す。ＦＦＴコンポーネント６２２は、受信ＯＦＤＭＡ信号ｒ（ｔ）６２０ａに、ＮfftポイントＦＦＴ演算を実行するように構成されていてもよい。ＮfftポイントＦＦＴ演算の結果は、周波数ドメインＯＦＤＭＡ信号６２０ｂである。周波数ドメインＯＦＤＭＡ信号６２０ｂは、次の等式（３）のように定義してもよい。
【数３】
0005547088.tif 000004
【００３６】
すべての有用な副搬送波（すなわち、使用されている副搬送波領域３１８における副搬送波）に対する周波数ドメインＯＦＤＭＡ信号Ｒfft（ｎ）６２０ｂに関して、副搬送波デランダム化を実行してもよい。周波数ドメインＯＦＤＭＡ信号Ｒfft（ｎ）６２０ｂが、副搬送波デランダマイザ６２４に提供されることが示されている。副搬送波デランダマイザ６２４の出力は、Ｒsdr（ｎ）６２０ｃとして示されている、デランダム化されたＯＦＤＭＡ信号６２０ｃである。
【００３７】
次に、チャネル推定を実行してもよい。デランダム化信号Ｒsdr（ｎ）６２０ｃは、チャネル推定コンポーネント６２６への入力として提供されることが示されている。結果として生じるチャネル推定６３０ａは、Ｈp（ｎ，ｉ）６３０ａとして示され、ここでｎは、先に示した通りであり、ｉ＝．．．、ｓｙｍ（ｉ−１）、ｓｙｍ（ｉ）、ｓｙｍ（ｉ＋１）、．．．．である。
【００３８】
副搬送波の割振り解除を次に実行してもよい。デランダム化ＯＦＤＭＡ信号Ｒsdr（ｎ）６２０ｃが、第１の副搬送波割振り解除コンポーネント６２８ａへの入力として提供されることが示されており、第１の副搬送波割振り解除コンポーネント６２８ａの出力は、割振り解除されたＯＦＤＭＡ信号Ｒs（ｓ，ｋ）６２０ｄである。チャネル推定Ｈp（ｎ，ｉ）６３０ａが、第２の副搬送波割振り解除コンポーネント６２８ｂへの入力として提供されることが示されており、第２の副搬送波割振り解除コンポーネント６２８ｂの出力は、割振り解除されたチャネル推定Ｈs（ｓ，ｋ）６３０ｂである。
【００３９】
用語ｓは、割り振られているスロットインデックスであり、ｓ＝１、２、．．．、Ｎsである。用語Ｎsは、コーディングブロックに対して割り振られたスロットの数を指す。用語ｋは副搬送波インデックスであり、ｋ＝１、２、．．．、Ｎscである。用語Ｎscは、スロットに対する副搬送波の数を指す。
【００４０】
副搬送波の割振りのために送信機６０２において使用されたのと同じ順列スキームを使用して、副搬送波の割振り解除を実行してもよい。副搬送波割振り解除は、対応する副搬送波を抽出することと、副搬送波をスロットベースのフォーマットに配置することとを伴っていてもよい。
【００４１】
以下で説明するように、受信機６０４は、最大比合成（ＭＲＣ）スキームに基づいて、等化および合成を実行するように構成されていてもよい。しかしながら、複製信号を含むＯＦＤＭＡ信号に対してＭＲＣ合成スキームを適用するとき、いくつかの問題が生じるかもしれない。例えば、複製は、送信機６０２においてチャネルエンコーディングの前に実施されているかもしれない（例えば、図５中で示され、上述した、ＦＣＨ／ＤＬＦＰ送信の方法５００を参照）。通常、送信機６０２により実行されるステップは、受信機６０４により逆の順序で実行される。したがって、受信機６０４において、チャネルデコーディングの後に（および、それゆえに、デマッピングの後に）複製信号に関連する何らかの処理が実施されるのが好ましい。言い換えれば、送信機６０２における手続きを考えれば、これは、自然な処理順序であると考えてもよい。しかしながら、複製信号のＭＲＣ合成に対する最良の位置は、デマッピングの前であるかもしれない。
【００４２】
この問題に対処するために、ルックアヘッド副搬送波配置スキームを利用してもよい。ルックアヘッド副搬送波配置スキームは、割振り解除されたＯＦＤＭＡ信号Ｒs（ｓ，ｋ）６２０ｄおよび割振り解除されたチャネル推定Ｈs（ｓ，ｋ）６３０ｂ内の副搬送波を複製フォーマットに配置する結果を達成してもよい。ルックアヘッド副搬送波配置スキームは、ルックアヘッド処理を実行することによって実現してもよい。ルックアヘッド処理は、送信プロセスを、すなわち、送信機６０２において続いて起こるプロセス（例えば、複製→チャネルコーディング→インターリービング→マッピング）を、調査すること／逆にたどることを含んでもよい。ルックアヘッド処理はまた、等化することと、合成することとに先立って、（および、それゆえに、デマッピングに先立って）デインターリービングを実行することを含んでもよい。
【００４３】
割振り解除されたＯＦＤＭＡ信号Ｒs（ｓ，ｋ）６２０ｄが、第１のルックアヘッド副搬送波アレンジャ６３２ａに提供されることが示されている。第１のルックアヘッド副搬送波アレンジャ６３２ａの出力は、複製フォーマットＯＦＤＭＡ信号Ｒdup（ｓ，ｋ）６２０ｅである。割振り解除されたチャネル推定Ｈs（ｓ，ｋ）６３０ｂが、第２のルックアヘッド副搬送波アレンジャ６３２ｂに提供される。第２のルックアヘッド副搬送波アレンジャ６３２ｂの出力は、複製フォーマットチャネル推定Ｈdup（ｓ，ｋ）６３０ｃである。
【００４４】
等化器および合成器６３４は、ＭＲＣスキームに基づいて、複製フォーマットＯＦＤＭＡ信号Ｒdup（ｓ，ｋ）６２０ｅを等化および合成するように構成されていてもよい。すべての対応するスロットおよび複製信号（副搬送波）を、ＭＲＣスキームを使用して合成してもよい。等化器および合成器６３４の出力は、等化されたＯＦＤＭＡ信号Ｒe（ｕ）６２０ｆとして示されている。
【００４５】
次の等式（４）にしたがって、等化および合成を実行してもよい。
【数４】
0005547088.tif 000005
【００４６】
等式（４）において、用語ｓは、先に示した通りである。用語ｕは、ｕ＝１、２、．．．、Ｎuであり、ここで、Ｎu＝Ｎsc／２であり、Ｎscは、先に示した通りである。用語（）*は、（）の複素共役を指す。
【００４７】
チャネルステータス情報（ＣＳＩ）合成器６３６は、複製フォーマットチャネル推定Ｈdup（ｓ，ｋ）６３０ｃに関して、ＣＳＩ合成を実行するように構成されていてもよい。ＣＳＩ合成はまた、ＭＲＣスキームに基づいていてもよい。ＣＳＩ合成器６３６の出力は、ＣＳＩ推定Ｈe（ｕ）６３０ｄとして示されている。
【００４８】
ＣＳＩ合成は、次の等式（５）にしたがって実行してもよい。
【数５】
0005547088.tif 000006
【００４９】
ＳＳＣＱコンポーネント６３８を示す。ここで、頭字語ＳＳＣＱは、軟判定（デマッピング）、スケーリング、ＣＳＩ重み付けおよび量子化を表す。等化されたＯＦＤＭＡ信号Ｒe（ｕ）６２０ｆおよびＣＳＩ推定Ｈe（ｕ）６３０ｄの両方が、ＳＳＣＱコンポーネント６３８への入力として提供されることが示されている。ＳＳＣＱコンポーネント６３８の出力は、デマッピングされたＯＦＤＭＡ信号Ｒd（ｘ）６２０ｇである。用語ｘは、ｘ＝１、２、．．．、Ｎxである。用語Ｎxは、コーディングブロックに対する、コード化された軟ビットの数を示し、Ｎx＝Ｎu×Ｎmodである。用語Ｎmodは、変調の次数を指す。例えば、ＱＰＳＫ変調が使用される場合、Ｎmod＝２である。
【００５０】
チャネルデコーダ６４０は、デマッピングされた信号Ｒd（ｘ）６２０ｇに関してチャネルデコーディングを実行するように構成されていてもよい。チャネルデコーディングの結果は、ペイロード６４２である。
【００５１】
ここで使用するとき、用語“ＯＦＤＭＡ信号”６２０は一般に、ＯＦＤＭＡ技術にしたがって処理される、何らかのデータ関連の信号を指してもよい。周波数ドメインＯＦＤＭＡ信号Ｒfft（ｎ）６２０ｂ、デランダム化されたＯＦＤＭＡ信号Ｒsdr（ｎ）６２０ｃ、割振り解除されたＯＦＤＭＡ信号Ｒs（ｓ，ｋ）６２０ｄ、複製フォーマットＯＦＤＭＡ信号Ｒdup（ｓ，ｋ）６２０ｅ、等化されたＯＦＤＭＡ信号Ｒe（ｕ）６２０ｆおよびデマッピングされたＯＦＤＭＡ信号Ｒd（ｘ）６２０ｇは、それぞれ、受信機６０４による処理の異なる段階におけるＯＦＤＭＡ信号６２０を表す。
【００５２】
ここで使用するとき、用語“チャネルステータス情報信号”６３０は一般に、チャネルステータス情報の推定を提供することに関連する何らの信号を指してもよい。チャネル推定Ｈp（ｎ，ｉ）６３０ａ、割振り解除されたチャネル推定Ｈs（ｓ，ｋ）６３０ｂ、複製フォーマットチャネル推定Ｈdup（ｓ，ｋ）６３０ｃおよびチャネルステータス情報推定Ｈe（ｕ）６３０ｄはそれぞれ、受信機６０４による処理の異なる段階における、ＣＳＩ推定信号６３０を表す。
【００５３】
図７は、複製ペア（すなわち、ＯＦＤＭＡ信号６２０内で複製されているデータ）を、異なる副搬送波７１２にわたって分散させてもよい１つの方法を図示する。ａ１およびａ２のペア、ｂ１およびｂ２のペア、ｃ１およびｃ２のペア、ｄ１およびｄ２のペアが、それぞれ、複製されている。ａ１およびａ２のペアは、それぞれ、第１の副搬送波７１２ａおよび第２の副搬送波７１２ｂの実部を構成する。ｂ１およびｂ２のペアは、それぞれ、第１の副搬送波７１２ａおよび第２の副搬送波７１２ｂの虚部を構成する。ｃ１およびｃ２のペアは、それぞれ、第３の副搬送波７１２ｃおよび第４の副搬送波７１２ｄの実部を構成する。ｄ１およびｄ２のペアは、それぞれ、第３の副搬送波７１２ｃおよび第４の副搬送波７１２ｄの虚部を構成する。図７中で示すように、複製ペアが、異なる副搬送波７１２にわたって分散される場合、ＭＲＣベースの等化および合成、ならびに、ＣＳＩ合成を、それぞれ、等式（４）および（５）にしたがって実行してもよい。
【００５４】
図８は、複製ペアを異なる副搬送波８１２にわたって分散させてもよい別の方法を図示する。ａ１およびａ２のペア、ｂ１およびｂ２のペア、ｃ１およびｃ２のペアが、それぞれ複製されている。ａ１およびａ２のペアは、それぞれ、第１の副搬送波８１２ａの実部と、第２の副搬送波８１２ｂの虚部とを構成する。ｂ１およびｂ２のペアは、それぞれ、第１の副搬送波８１２ａの虚部と、第３の副搬送波８１２ｃの実部とを構成する。ｃ１およびｃ２のペアは、それぞれ、第２の副搬送波８１２ｂの実部と、第３の副搬送波８１２ｃの虚部とを構成する。
【００５５】
図８中で示すように、受信ＯＦＤＭＡ信号６２０が分散されている複製ペアを含む場合、ＭＲＣベースの等化および合成を、以下の等式（６）ないし（８）にしたがって実行してもよい。
【数６】
0005547088.tif 000007
【００５６】
ＣＳＩ合成を、以下の等式（９）ないし（１１）にしたがって実行してもよい。
【数７】
0005547088.tif 000008
【００５７】
Ｒdup（ｓ，ｕ）＝ａ1＋ｊｂ1、かつ、Ｒdup（ｓ，Ｎu＋ｕ）＝ｃ1＋ｊａ2である場合、ａ1およびａ2の複製ペアに対する等化および合成は、次の等式（１２）にしたがって実行してもよい。
【数８】
0005547088.tif 000009
【００５８】
Ｒdup（ｓ，ｕ）＝ａ1＋ｊｂ1、かつ、Ｒdup（ｓ，Ｎu＋ｕ）＝ｂ2＋ｊｃ2である場合、ｂ1およびｂ2の複製ペアに対する等化および合成は、次の等式（１３）にしたがって実行してもよい。
【数９】
0005547088.tif 000010
【００５９】
Ｒdup（ｓ，ｕ）＝ｃ1＋ｊａ2、かつ、Ｒdup（ｓ，Ｎu＋ｕ）＝ｂ2＋ｊｃ2である場合、ｃ1およびｃ2の複製ペアに対する等化および合成は、次の等式（１４）にしたがって実行してもよい。
【数１０】
0005547088.tif 000011
【００６０】
等式（１２）ないし（１４）において、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である。用語ｓ、ｋ、ｕおよびＮuは、先に示した通りである。
【００６１】
図９は、複製信号を含むＯＦＤＭＡ信号をデコードする方法９００の例を説明する。方法９００は、ＯＦＤＭＡ受信機６０４により実行されうる。
【００６２】
ＯＦＤＭＡ信号６２０ａが受信される（９０２）とき、ＮfftポイントＦＦＴ演算を、受信したＯＦＤＭＡ信号６２０ａに実行してもよく（９０４）、周波数ドメインＯＦＤＭＡ信号６２０ｂを結果として生じる。周波数ドメインＯＦＤＭＡ信号６２０ｂに関して副搬送波デランダム化を実行してもよく（９０６）、デランダム化されたＯＦＤＭＡ信号６２０ｃを結果として生じる。デランダム化されたＯＦＤＭＡ信号６２０ｃを使用して、チャネル推定を実行してもよく（９０８）、チャネル推定６３０ａを結果として生じうる。
【００６３】
デランダム化されたＯＦＤＭＡ信号６２０ｃに関して、副搬送波の割振り解除を実行してもよく（９１０）、割振り解除されたＯＦＤＭＡ信号６２０ｄを結果として生じる。チャネル推定６３０ａに関して、副搬送波の割振り解除を実行してもよく（９１２）、割振り解除されたチャネル推定６３０ｂを結果として生じる。
【００６４】
ルックアヘッド副搬送波配置スキームを利用して、割振り解除されたＯＦＤＭＡ信号６２０ｄ内の副搬送波を複製フォーマット６２０ｅに配置し（９１４）、また、割振り解除されたチャネル推定６３０ｂ内の副搬送波を複製フォーマット６３０ｃに配置してもよい（９１６）。複製フォーマットＯＦＤＭＡ信号６２０ｅに関して、等化および合成を実行してもよい（９１８）。複製フォーマットチャネル推定６３０ｄに関して、ＣＳＩ合成を実行してもよい（９２０）。
【００６５】
デマッピング、スケーリング、ＣＳＩ重み付けおよび量子化を次に実行してもよく（９２２）、デマッピングされた信号６２０ｇを結果として生じる。デマッピングされた信号６２０ｇに関してチャネルデコーディングを実行してもよく（９２４）、ペイロード６４２を結果として生じる。
【００６６】
上述した、図９の方法は、図１０中で説明されているミーンズプラスファンクションブロックに対応する、さまざまなハードウェアおよび／またはソフトウェアコンポーネントおよび／またはモジュールによって実行してもよい。言い換えれば、図９中で説明されているブロック９０２ないし９２４は、図１０中で説明されているミーンズプラスファンクションブロック１００２ないし１０２４に対応する。
【００６７】
図１１は、ワイヤレスデバイス１１０２において利用されうるさまざまなコンポーネントを図示する。ワイヤレスデバイス１１０２は、ここで記述したさまざまな方法を実現するように構成されていてもよいデバイスの例である。ワイヤレスデバイス１１０２は、基地局１０４またはユーザ端末１０６であってもよい。
【００６８】
ワイヤレスデバイス１１０２は、ワイヤレスデバイス１１０２の動作を制御するプロセッサ１１０４を含んでいてもよい。プロセッサ１１０４は、中央処理ユニット（ＣＰＵ）と呼ばれることがある。読出し専用メモリ（ＲＯＭ）およびランダムアクセスメモリ（ＲＡＭ）の両方を含んでいてもよいメモリ１１０６は、命令およびデータをプロセッサ１１０４に提供する。メモリ１１０６の一部は、不揮発性ランダムアクセスメモリ（ＮＶＲＡＭ）を含んでいてもよい。プロセッサ１１０４は一般に、メモリ１１０６内に記憶されているプログラム命令に基づいて、論理および算術演算を実行する。メモリ１１０６中の命令は、ここで記述した方法を実現するように実行可能であってもよい。
【００６９】
ワイヤレスデバイス１１０２はまた、筐体１１０８を含んでいてもよく、筐体１１０８は、ワイヤレスデバイス１１０２と、遠隔地との間でデータの送信および受信を可能にする送信機１１１１および受信機１１１２を含んでいてもよい。送信機１１１１および受信機１１１２をトランシーバ１１１４にまとめてもよい。アンテナ１１１６を、筐体１１０８に取り付けて、トランシーバ１１１４に電気的に結合してもよい。ワイヤレスデバイス１１０２はまた、（示していない）複数の送信機、複数の受信機、複数のトランシーバおよび／または複数のアンテナを含んでいてもよい。
【００７０】
ワイヤレスデバイス１１０２はまた、信号検出器１１１８を含んでいてもよく、信号検出器１１１８を使用して、トランシーバ１１１４により受信される信号のレベルを検出して、定量化してもよい。信号検出器１１１８は、全エネルギーや、擬似雑音（ＰＮ）チップ毎のパイロットエネルギーや、電力スペクトル密度や、他の信号のような、信号を検出してもよい。ワイヤレスデバイス１１０２はまた、信号を処理する際に使用するデジタル信号プロセッサ（ＤＳＰ）１１２０を含んでいてもよい。
【００７１】
ワイヤレスデバイス１１０２のさまざまなコンポーネントは、バスシステム１１２２により互いに結合されていてもよく、バスシステム１１２２は、データバスに加えて、電力バス、制御信号バスおよびステータス信号バスを含んでいてもよい。しかしながら、明瞭にするために、さまざまなバスは、バスシステム１１２２として、図１１中で図示されている。
【００７２】
ここで使用するとき、用語“決定すること”は、幅広いさまざまな動作を包含し、それゆえに、“決定すること”は、計算すること、コンピュータで計算すること、処理すること、導出すること、調査すること、検索すること（例えば、テーブル、データベースまたは別のデータ構造において検索すること）、確認すること、およびこれらに類似するもの含むことができる。また、“決定すること”は、受信すること（例えば、情報を受信すること）、アクセスすること（例えば、メモリ中のデータにアクセスすること）、およびこれらに類似するもの含むことができる。さらに、“決定すること”は、解決すること、選択すること、選ぶこと、確立すること、およびこれらに類似するものを含むことができる。
【００７３】
句“〜に基づく”は、特にことわらない限り、“〜だけに基づく”を意味しない。言い換えれば、句“〜に基づく”は、“〜だけに基づく”と、“少なくとも〜に基づく”との両方を記述する。
【００７４】
汎用プロセッサ、デジタル信号プロセッサ（ＤＳＰ），特定用途向け集積回路（ＡＳＩＣ），フィールドプログラム可能ゲートアレイ信号（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、本開示に関して記述した、さまざまな実例となる、論理ブロック、モジュールおよび回路を実現または実行してもよい。汎用プロセッサはマイクロプロセッサでもよいが、代わりに、プロセッサは、任意の商業上利用可能なプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００７５】
本開示に関して記述した方法またはアルゴリズムのステップを、ハードウェア中で直接、プロセッサにより実行されるソフトウェアモジュール中で、またはその２つの組み合わせ中で具現してもよい。ソフトウェアモジュールは、技術的に知られている任意の形態の記憶媒体中に存在してもよい。使用されうる記憶媒体のいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭなどを含む。ソフトウェアモジュールは、単一の命令または多くの命令を含んでいてもよく、いくつかの異なるコードセグメントにわたって、異なるプログラムの間で、および複数の記憶媒体にわたって、分散されていてもよい。プロセッサが記憶媒体から情報を読み取ることができ、記憶媒体に情報を書き込むことができるように、記憶媒体はプロセッサに結合されていてもよい。代わりに、記憶媒体はプロセッサと一体化されていてもよい。
【００７６】
ここで開示した方法は、記述した方法を達成するために、１つ以上のステップまたは動作を含んでいる。方法のステップおよび／または動作は、特許請求の範囲から逸脱することなく、互いに置き換えられてもよい。言い換えれば、ステップまたは動作の特定の順序が、指定されない限り、特定のステップおよび／または動作の順序および／または使用は、特許請求の範囲から逸脱することなく修正してもよい。
【００７７】
記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令として、機能を記憶させてもよい。コンピュータ読み取り可能媒体は、コンピュータによりアクセスできる任意の利用可能な媒体であってもよい。一例として、限定ではないが、コンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを搬送または記憶するために使用でき、そして、コンピュータによりアクセスできる他の任意の媒体を含んでいてもよい。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイ（登録商標）ディスクを含み、ディスク（ｄｉｓｋ）は通常、磁気的にデータを再生し、一方、ディスク（ｄｉｓｃ）は、レーザにより光学的にデータを再生する。
【００７８】
ソフトウェアまたは命令は、送信媒体を通して送信してもよい。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、送信媒体の定義に含まれる。
【００７９】
さらに、図９ないし図１０により説明したような、ここで記述した方法および技術を実行するためのモジュールおよび／または他の適切な手段は、適用できるように、移動デバイスおよび／または基地局により、ダウンロードできるか、および／または、さもなければ取得できることを理解すべきである。例えば、そのようなデバイスは、ここで記述した方法を実行する手段の転送を容易にするために、サーバに結合できる。代わりに、ここで記述したさまざまな方法は、記憶手段（例えば、ランダムアクセスメモリ（ＲＡＭ）、読出し専用メモリ（ＲＯＭ）、コンパクトディスク（ＣＤ）またはフロッピーディスクのような物理記憶媒体など）を通して提供でき、それにより、移動デバイスおよび／または基地局は、記憶手段をデバイスに結合または提供する際に、さまざまな方法を取得できる。さらに、デバイスに対する、ここで記述した方法および技術を提供する他の任意の適切な技術を利用できる。
【００８０】
特許請求の範囲は、先に説明した厳密な構成およびコンポーネントに限定されないことを理解すべきである。特許請求の範囲から逸脱することなく、ここで記述したシステム、方法および装置の構成、動作および詳細において、さまざまな修正、変更およびバリエーションを実施してもよい。
以下に、本願出願の当初の特許請求の範囲に記載された発明を付記する。
［１］複製信号を含む、受信した直交周波数分割多元接続（ＯＦＤＭＡ）信号を処理する方法において、
前記ＯＦＤＭＡ信号内の副搬送波を複製フォーマットに配置することと、
前記副搬送波を前記複製フォーマットに配置した後に、前記ＯＦＤＭＡ信号を等化および合成し、前記等化および合成は、最大比合成（ＭＲＣ）スキームにしたがって実行されることと、
前記ＯＦＤＭＡ信号をデマッピングし、前記デマッピングは、前記等化および合成が実行された後に実行されることとを含む方法。
［２］前記ＯＦＤＭＡ信号内の副搬送波を複製フォーマットに配置することは、ルックアヘッド処理を実行することを含む上記［１］記載の方法。
［３］前記ルックアヘッド処理は、前記ＯＦＤＭＡ信号の送信機により実現される送信プロセスを逆にたどることを含む上記［２］記載の方法。
［４］前記ルックアヘッド処理は、前記ＯＦＤＭＡ信号の等化および合成に先立って、デインターリービングを実行することを含む上記［２］記載の方法。
［５］前記等化および合成は、
【数１１】
0005547088.tif 000012
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である上記［１］記載の方法。
［６］チャネルステータス情報（ＣＳＩ）信号内の副搬送波を前記複製フォーマットに配置することと、
前記副搬送波を前記複製フォーマットに配置した後に、前記ＣＳＩ信号に関してＣＳＩ合成を実行することとをさらに含む上記［１］記載の方法。
［７］前記ＣＳＩ合成は、
【数１２】
0005547088.tif 000013
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である上記［６］記載の方法。
［８］前記ＯＦＤＭＡ信号は、異なる副搬送波にわたって分散されている複製ペアを含む上記［１］記載の方法。
［９］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数１３】
0005547088.tif 000014
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［８］記載の方法。
［１０］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数１４】
0005547088.tif 000015
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［８］記載の方法。
［１１］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数１５】
0005547088.tif 000016
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［８］記載の方法。
［１２］前記複製信号は、ダウンリンクフレームプレフィックス（ＤＬＦＰ）メッセージを含む上記［１］記載の方法。
［１３］複製信号を含む、受信した直交周波数分割多元接続（ＯＦＤＭＡ）信号を処理するワイヤレスデバイスにおいて、
前記ＯＦＤＭＡ信号内の副搬送波を複製フォーマットに配置するように構成されている第１のルックアヘッド副搬送波アレンジャと、
前記副搬送波を前記複製フォーマットに配置した後に、前記ＯＦＤＭＡ信号を等化および合成するように構成されている等化器および合成器と、
前記ＯＦＤＭＡ信号をデマッピングするように構成されているデマッパーとを具備し、
前記等化および合成は、最大比合成（ＭＲＣ）スキームにしたがって実行され、
前記デマッピングは、前記等化および合成が実行された後に実行されるワイヤレスデバイス。
［１４］前記ＯＦＤＭＡ信号内の副搬送波を複製フォーマットに配置することは、ルックアヘッド処理を実行することを含む上記［１３］記載のワイヤレスデバイス。
［１５］前記ルックアヘッド処理は、前記ＯＦＤＭＡ信号の送信機により実現される送信プロセスを逆にたどることを含む上記［１４］記載のワイヤレスデバイス。
［１６］前記ルックアヘッド処理は、前記ＯＦＤＭＡ信号の等化および合成に先立って、デインターリービングを実行することを含む上記［１４］記載のワイヤレスデバイス。
［１７］前記等化および合成は、
【数１６】
0005547088.tif 000017
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である上記［１３］記載のワイヤレスデバイス。
［１８］チャネルステータス情報（ＣＳＩ）信号内の副搬送波を前記複製フォーマットに配置するように構成されている第２のルックアヘッド副搬送波アレンジャと、
前記副搬送波を前記複製フォーマットに配置した後に、前記ＣＳＩ信号に関してＣＳＩ合成を実行するように構成されているＣＳＩ合成器とをさらに具備する上記［１３］記載のワイヤレスデバイス。
［１９］前記ＣＳＩ合成は、
【数１７】
0005547088.tif 000018
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である上記［１８］記載のワイヤレスデバイス。
［２０］前記ＯＦＤＭＡ信号は、異なる副搬送波にわたって分散されている複製ペアを含む上記［１３］記載のワイヤレスデバイス。
［２１］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数１８】
0005547088.tif 000019
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［２０］記載のワイヤレスデバイス。
［２２］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数１９】
0005547088.tif 000020
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［２０］記載のワイヤレスデバイス。
［２３］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数２０】
0005547088.tif 000021
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［２０］記載のワイヤレスデバイス。
［２４］前記複製信号は、ダウンリンクフレームプレフィックス（ＤＬＦＰ）メッセージを含む上記［１３］記載のワイヤレスデバイス。
［２５］複製信号を含む、受信した直交周波数分割多元接続（ＯＦＤＭＡ）信号を処理する装置において、
前記ＯＦＤＭＡ信号内の副搬送波を複製フォーマットに配置する手段と、
前記副搬送波を前記複製フォーマットに配置した後に、前記ＯＦＤＭＡ信号を等化および合成する手段であって、前記等化および合成は、最大比合成（ＭＲＣ）スキームにしたがって実行される手段と、
前記ＯＦＤＭＡ信号をデマッピングする手段であって、前記デマッピングは、前記等化および合成が実行された後に実行される手段とを具備する装置。
［２６］前記ＯＦＤＭＡ信号内の副搬送波を複製フォーマットに配置することは、ルックアヘッド処理を実行することを含む上記［２５］記載の装置。
［２７］前記ルックアヘッド処理は、前記ＯＦＤＭＡ信号の送信機により実現される送信プロセスを逆にたどることを含む上記［２６］記載の装置。
［２８］前記ルックアヘッド処理は、前記ＯＦＤＭＡ信号の等化および合成に先立って、デインターリービングを実行することを含む上記［２６］記載の装置。
［２９］前記等化および合成は、
【数２１】
0005547088.tif 000022
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である上記［２５］記載の装置。
［３０］チャネルステータス情報（ＣＳＩ）信号内の副搬送波を前記複製フォーマットに配置する手段と、
前記副搬送波を前記複製フォーマットに配置した後に、前記ＣＳＩ信号に関してＣＳＩ合成を実行する手段とをさらに具備する上記［２５］記載の装置。
［３１］前記ＣＳＩ合成は、
【数２２】
0005547088.tif 000023
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である上記［３０］記載の装置。
［３２］前記ＯＦＤＭＡ信号は、異なる副搬送波にわたって分散されている複製ペアを含む上記［２５］記載の装置。
［３３］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数２３】
0005547088.tif 000024
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［３２］記載の装置。
［３４］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数２４】
0005547088.tif 000025
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［３２］記載の装置。
［３５］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数２５】
0005547088.tif 000026
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［３２］記載の装置。
［３６］前記複製信号は、ダウンリンクフレームプレフィックス（ＤＬＦＰ）メッセージを含む上記［２５］記載の装置。
［３７］命令を有するコンピュータ読取り可能媒体を備え、複製信号を含む、受信した直交周波数分割多元接続（ＯＦＤＭＡ）信号を処理するためのコンピュータプログラムプロダクトにおいて、
前記命令は、
前記ＯＦＤＭＡ信号内の副搬送波を複製フォーマットに配置するためのコードと、
前記副搬送波を前記複製フォーマットに配置した後に、前記ＯＦＤＭＡ信号を等化および合成するためのコードであって、前記等化および合成は、最大比合成（ＭＲＣ）スキームにしたがって実行されるコードと、
前記ＯＦＤＭＡ信号をデマッピングするためのコードであって、前記デマッピングは、前記等化および合成が実行された後に実行されるコードとを含むコンピュータプログラムプロダクト。
［３８］前記ＯＦＤＭＡ信号内の副搬送波を複製フォーマットに配置することは、ルックアヘッド処理を実行することを含む上記［３７］記載のコンピュータプログラムプロダクト。
［３９］前記ルックアヘッド処理は、前記ＯＦＤＭＡ信号の送信機により実現される送信プロセスを逆にたどることを含む上記［３８］記載のコンピュータプログラムプロダクト。
［４０］前記ルックアヘッド処理は、前記ＯＦＤＭＡ信号の等化および合成に先立って、デインターリービングを実行することを含む上記［３８］記載のコンピュータプログラムプロダクト。
［４１］前記等化および合成は、
【数２６】
0005547088.tif 000027
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｒdup（）は、前記複製フォーマットに配置されているＯＦＤＭＡ信号であり、Ｈdup（）は、前記複製フォーマットに配置されているチャネルステータス情報信号である上記［３７］記載のコンピュータプログラムプロダクト。
［４２］チャネルステータス情報（ＣＳＩ）信号内の副搬送波を前記複製フォーマットに配置することと、
前記副搬送波を前記複製フォーマットに配置した後に、前記ＣＳＩ信号に関してＣＳＩ合成を実行することとをさらに含む上記［３７］記載のコンピュータプログラムプロダクト。
［４３］前記ＣＳＩ合成は、
【数２７】
0005547088.tif 000028
として実行され、ここで、ｓは、割り振られているスロットインデックスであり、ｓ＝１、２、．．．、Ｎsであり、ｕ＝１、２、．．．、Ｎuであり、Ｎu＝Ｎsc／２であり、Ｎscは、スロットに対する副搬送波の数であり、Ｈdup（）は、前記複製フォーマットに配置されているＣＳＩ信号である上記［４２］記載のコンピュータプログラムプロダクト。
［４４］前記ＯＦＤＭＡ信号は、異なる副搬送波にわたって分散されている複製ペアを含む上記［３７］記載のコンピュータプログラムプロダクト。
［４５］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｃ1＋ｊａ2であり、前記第１の複製ペアａ1およびａ2に対する等化および合成は、
【数２８】
0005547088.tif 000029
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［４４］記載のコンピュータプログラムプロダクト。
［４６］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ａ1＋ｊｂ1およびＲdup（ｓ，Ｎu＋ｕ）＝ｂ2＋ｊｃ2であり、前記第２の複製ペアｂ1およびｂ2に対する等化および合成は、
【数２９】
0005547088.tif 000030
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［４４］記載のコンピュータプログラムプロダクト。
［４７］前記複製ペアは、第１の複製ペアａ1およびａ2と、第２の複製ペアｂ1およびｂ2と、第３の複製ペアｃ1およびｃ2とを含み、ここで、Ｒdup（ｓ，ｕ）＝ｃ1＋ｊａ2およびＲdup（ｓ，Ｎu＋ｕ）＝ｂ2＋ｊc2であり、前記第３の複製ペアｃ1およびｃ2に対する等化および合成は、
【数３０】
0005547088.tif 000031
として実行され、ここで、Ｘ＝Ｒdup（ｓ，ｕ）Ｈdup（ｓ，ｕ）*およびＹ＝Ｒdup（ｓ，Ｎu＋ｕ）Ｈdup（ｓ，Ｎu＋ｕ）*である上記［４４］記載のコンピュータプログラムプロダクト。
［４８］前記複製信号は、ダウンリンクフレームプレフィックス（ＤＬＦＰ）メッセージを含む上記［３７］記載のコンピュータプログラムプロダクト。
【図１】
0005547088.tif 000052
【図２】
0005547088.tif 000053
【図３Ａ】
0005547088.tif 000054
【図３Ｂ】
0005547088.tif 000055
【図３Ｃ】
0005547088.tif 000056
【図３Ｄ】
0005547088.tif 000057
【図４】
0005547088.tif 000058
【図５】
0005547088.tif 000059
【図６Ａ】
0005547088.tif 000060
【図６Ｂ】
0005547088.tif 000061
【図７】
0005547088.tif 000062
【図８】
0005547088.tif 000063
【図９】
0005547088.tif 000064
【図１０】
0005547088.tif 000065
【図１１】
0005547088.tif 000066